【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
液晶表示パネルのγ特性を調整可能な表示駆動装置において、
外部から表示データを入力するためのシステムインターフェイスと、
前記表示データを格納するためのメモリと、
複数の階調電圧を生成するための階調電圧生成回路と、
前記γ特性を調整するためのγ調整回路と、
前記メモリからの前記表示データに応じた前記階調電圧を前記液晶表示パネルへ出力するための回路とを備え、
前記γ調整回路は、
電圧に対する階調特性の中間部の傾きを調整するために、前記階調電圧生成回路のラダー抵抗中の可変抵抗を制御するための傾き調整レジスタと、
前記階調電圧の振幅を調整するために、前記ラダー抵抗の上側と下側の可変抵抗を制御するための振幅調整レジスタと、
前記階調電圧の微調整をするために、前記ラダー抵抗から発生された複数の電圧に対し、セレクタによって選択される各電圧を制御するための微調整レジスタとを備え、
前記傾き調整レジスタと前記振幅／レファレンス調整レジスタと前記微調整レジスタは、正／負極性に対し独立に設定可能であることを特徴とする表示駆動装置。
【請求項２】
外部装置からの受信された表示データに応じた階調電圧を表示パネルへ出力するための表示駆動装置において、
基準電圧を抵抗群により分割して、複数レベルの電圧を生成するための生成回路と、
複数レベルの電圧の中から、前記表示データに応じた前記階調電圧をデコードするためのデコード回路と、
階調番号に対する階調電圧の特性曲線の振幅及び傾きを調整するために、前記外部装置から受信された前記抵抗群の可変抵抗の値を設定可能なレジスタとを備えることを特徴とする表示駆動装置。
【請求項３】
請求項２の表示駆動装置において、
前記レジスタ内に設定された値により前記特性曲線の振幅を調整するための前記可変抵抗は、前記抵抗群よりも前記基準電圧側に直列に接続され、
前記レジスタ内に設定された値により前記特性曲線の傾きを調整するための前記可変抵抗は、前記抵抗群中に直列に接続されることを特徴とする表示駆動装置。
【請求項４】
請求項２の表示駆動装置において、
前記生成回路は、前記抵抗群によって分割された電圧を選択するためのセレクタ回路をさらに備え、
前記レジスタは、前記特性曲線の傾きを微調整するために、前記セレクタ回路の選択のための値を設定可能であり、
前記レジスタは、正極性における前記特性曲線の傾きを微調整するための前記セレクタ回路の選択のための値と、負極性における前記特性曲線の傾きを微調整するための前記セレクタ回路の選択のための値とを、独立に設定可能であることを特徴とする表示駆動装置。
【請求項５】
請求項２の表示駆動装置において、
前記レジスタは、正極性における前記特性曲線の振幅及び傾きを調整するための前記可変抵抗の値と、負極性における前記特性曲線の振幅及び傾きを調整するための前記可変抵抗の値とを、独立に設定可能であることを特徴とする表示駆動装置。
【請求項６】
請求項５の表示駆動装置において、
前記正／負極性は、交流化信号に従って変化することを特徴とする表示駆動装置。
【請求項７】
請求項２の表示駆動装置において、
前記表示データ及び前記特性曲線の振幅及び傾きを調整するための前記可変抵抗の値を、前記外部装置から受信するためのインターフェースを備えることを特徴とする表示駆動装置。
【請求項８】
請求項７の表示駆動装置において、
前記インターフェースは、前記特性曲線の振幅及び傾きを調整するための各可変抵抗の値のために割り当てられた前記レジスタの各アドレスを前記外部装置から受信し、前記各アドレスに連続して、前記特性曲線の振幅及び傾きを調整するための前記各可変抵抗の値を前記外部装置から受信することを特徴とする表示駆動装置。
【請求項９】
請求項８の表示駆動装置において、
前記レジスタは、前記各アドレスに従って、前記特性曲線の振幅及び傾きを調整するための前記各可変抵抗の値を設定することを特徴とする表示駆動装置。
【請求項１０】
請求項２の表示駆動装置において、
前記生成回路は、６４個のレベルの電圧を生成することを特徴とする表示駆動装置。
【請求項１１】
外部装置から受信された表示データに応じた階調電圧を表示パネルへ出力するための表示駆動装置において、
第１レベルの電圧と第２レベルの電圧の間を分割する第１の抵抗郡と、
前記第１の抵抗群と前記第１レベルの電圧に接続された第２の抵抗と、
前記第１の抵抗群の間に接続された第３の抵抗と、
前記第１の抵抗群と前記第２レベルの電圧の間に接続された第４の抵抗と、
前記第１の抵抗群から引き出された線を選択するためのセレクタ回路と、
前記セレクタ回路から出力された複数レベルの電圧を分割する第５の抵抗郡と、
前記第５の抵抗群によって分割されたＮ個のレベル（Ｎは３以上）の電圧に基づいて、前記表示データに応じた前記階調電圧を出力するための回路と、
前記外部装置から受信された前記第２の抵抗及び前記第４の抵抗の抵抗値を設定可能な第１のレジスタと、
前記外部装置から受信された前記第３の抵抗の抵抗値を設定可能な第２のレジスタと、
前記外部装置から受信された前記セレクタ回路による選択位置を設定可能な第３のレジスタとを備えることを特徴とする表示駆動装置。
【請求項１２】
請求項１１の表示駆動装置において、
前記第１のレジスタは、正極性における前記第２の抵抗及び前記第４の抵抗の抵抗値と、負極性における前記第２の抵抗及び前記第４の抵抗の抵抗値とを、独立に設定可能で、
前記第２のレジスタは、正極性における前記第３の抵抗の抵抗値と、負極性における前記第３の抵抗の抵抗値とを、独立に設定可能で、
前記第３のレジスタは、正極性における前記セレクタ回路による選択位置と、負極性における前記セレクタ回路による選択位置とを、独立に設定可能であることを特徴とする表示駆動装置。
【請求項１３】
請求項１２の表示駆動装置において、
前記正／負極性は、交流化信号に従って変化することを特徴とする表示駆動装置。
【請求項１４】
請求項１１の表示駆動装置において、
前記表示データ、前記第２の抵抗の抵抗値、前記第４の抵抗の抵抗値、前記第３の抵抗の抵抗値、および前記セレクタ回路による選択位置を、前記外部装置から受信するためのインターフェースを備えることを特徴とする表示駆動装置。
【請求項１５】
請求項１４の表示駆動装置において、
前記インターフェースは、前記第２の抵抗及び第４の抵抗の各抵抗値のために割り当てられた前記第１のレジスタの各アドレスを前記外部装置から受信し、前記第１のレジスタの各アドレスに連続して、前記第２の抵抗及び第４の抵抗の各抵抗値を前記外部装置から受信し、
前記インターフェースは、前記第３の抵抗の抵抗値のために割り当てられた前記第２のレジスタのアドレスを前記外部装置から受信し、前記第２のレジスタのアドレスに連続して、前記第３の抵抗の抵抗値を前記外部装置から受信し、
前記インターフェースは、前記セレクタ回路による選択位置のために割り当てられた前記第３のレジスタのアドレスを前記外部装置から受信し、前記第３のレジスタのアドレスに連続して、前記セレクタ回路による選択位置を前記外部装置から受信することを特徴とする表示駆動装置。
【請求項１６】
請求項１５の表示駆動装置において、
前記第１のレジスタは、前記第１のレジスタの各アドレスに従って、前記第２の抵抗及び第４の抵抗の各抵抗値を設定し、
前記第２のレジスタは、前記第２のレジスタのアドレスに従って、前記第３の抵抗の抵抗値を設定し、
前記第３のレジスタは、前記第３のレジスタのアドレスに従って、前記セレクタ回路による選択位置を設定することを特徴とする表示駆動装置。
【請求項１７】
請求項１１の表示駆動装置において、
前記Nは、６４であることを特徴とする表示駆動装置。
【請求項１８】
外部装置から受信された表示データに応じた階調電圧を表示パネルへ出力するための表示駆動装置において、
第１レベルの電圧と第２レベルの電圧の間を抵抗群、可変抵抗及びセレクタ回路により  分割して、複数レベルの電圧を生成するための生成回路と、
複数レベルの電圧の中から、前記表示データに応じた前記階調電圧をデコードするためのデコード回路と、
階調番号に対する階調電圧の特性曲線の振幅及び傾きを調整し及び前記特性曲線の傾きを微調整するために、前記可変抵抗の値及び前記セレクタ回路による選択位置を前記外部装置から設定可能なレジスタとを備えることを特徴とする表示駆動装置。
【請求項１９】
請求項１８の表示駆動装置において、
前記レジスタは、正極性における前記可変抵抗の値及び前記セレクタ回路による選択位置と、負極性における前記可変抵抗の値及び前記セレクタ回路による選択位置とを、独立に設定可能であることを特徴とする表示駆動装置。
【請求項２０】
請求項１９の表示駆動装置において、
前記正／負極性は、交流化信号に従って変化することを特徴とする表示駆動装置。
【請求項２１】
請求項１８の表示駆動装置において、
前記表示データ及び前記可変抵抗の値及び前記セレクタ回路による選択位置を、前記外部装置から受信するためのインターフェースを備えることを特徴とする表示駆動装置。
【請求項２２】
請求項２１の表示駆動装置において、
前記インターフェースは、前記可変抵抗の値及び前記セレクタ回路による選択位置の各々のために割り当てられた前記レジスタの各アドレスを前記外部装置から受信し、前記各アドレスに連続して、前記可変抵抗の値及び前記セレクタ回路による選択位置を前記外部装置から受信することを特徴とする表示駆動装置。
【請求項２３】
請求項２２の表示駆動装置のおいて、
前記レジスタは、前記各アドレスに従って、前記可変抵抗の値及び前記セレクタ回路による選択位置を設定することを特徴とする表示駆動装置。
【請求項２４】
請求項１８の表示駆動装置において、
前記生成回路は、６４個のレベルの電圧を生成することを特徴とする表示駆動装置。
【請求項２５】
外部装置から受信された階調を示す表示データに応じた階調電圧を、複数の画素が配列された表示パネルへ出力する表示駆動装置において、
基準電圧から、複数の階調に対応する複数のレベルの電圧を生成するための生成回路と、
前記複数のレベルの電圧から、前記表示データに応じた階調電圧を選択し、前記階調電圧を前記表示パネルへ出力するための回路と、
階調と階調電圧又は表示パネルにおける輝度との関係を定めたγ特性の振幅を調整するために、前記生成回路における前記複数のレベルの電圧を生成するための第１の値を、前記外部装置から設定するための第１のレジスタと、
前記γ特性の中間部分の傾きを調整するために、前記生成回路における前記複数のレベルの電圧を生成するための第２の値を、前記外部装置から設定するための第２のレジスタと、
前記γ特性の中間部分を階調ごとに微調整するために、前記生成回路における前記複数のレベルの電圧を生成するための第３の値を、前記外部装置から設定するための第３のレジスタとを備え、
前記第１のレジスタは、正極性における前記第１の値と、負極性における前記第１の値とを、独立に設定可能で、
前記第２のレジスタは、正極性における前記第２の値と、負極性における前記第２の値とを、独立に設定可能で、
前記第３のレジスタは、正極性における前記第３の値と、負極性における前記第３の値を、独立に設定可能であることを特徴とする表示駆動装置。
【請求項２６】
請求項２５の表示駆動装置のおいて、
前記第１のレジスタは、正極性における前記第１の値と、負極性における前記第１の値とを、独立に設定可能で、
前記第２のレジスタは、正極性における前記第２の値と、負極性における前記第２の値とを、独立に設定可能で、
前記第３のレジスタは、正極性における前記第３の値と、負極性における前記第３の値を、独立に設定可能であることを特徴とする表示駆動装置。
【請求項２７】
請求項２６の表示駆動装置において、
前記正／負極性は、交流化信号に従って変化することを特徴とする表示駆動装置。
【請求項２８】
請求項２５の表示駆動装置において、
前記表示データ及び前記第１の値、第２の値及び第３の値を、前記外部装置から受信するためのインターフェースを備えることを特徴とする表示駆動装置。
【請求項２９】
請求項２８の表示駆動装置において、
前記インターフェースは、前記第１の値のために割り当てられた前記第１のレジスタのアドレスを前記外部装置から受信し、前記第１のレジスタのアドレスに連続して、前記の値を前記外部装置から受信し、
前記インターフェースは、前記第２の値のために割り当てられた前記第２のレジスタのアドレスを前記外部装置から受信し、前記第２のレジスタのアドレスに連続して、前記第２の値を前記外部装置から受信し、
前記インターフェースは、前記第３の値のために割り当てられた前記第３のレジスタのアドレスを前記外部装置から受信し、前記第３のレジスタのアドレスに連続して、前記第３の値を前記外部装置から受信することを特徴とする表示駆動装置。
【請求項３０】
請求項２９の表示駆動装置において、
前記第１のレジスタは、前記第１のレジスタのアドレスに従って、前記第１の値を設定し、
前記第２のレジスタは、前記第２のレジスタのアドレスに従って、前記第２の値を設定し、
前記第３のレジスタは、前記第３のレジスタのアドレスに従って、前記第３の値を設定することを特徴とする表示駆動装置。
【請求項３１】
請求項２５の表示駆動装置において、
前記生成回路は、６４個のレベルの電圧を生成することを特徴とする表示駆動装置。
【請求項３２】
請求項２５に記載の表示駆動装置において、
前記生成回路は、第１の基準電圧の接続端と第２の基準電圧の接続端との間に接続された第１のラダー抵抗と、前記第１のラダー抵抗よりも前記第１の基準電圧の接続端側又は前記第２の基準電圧の接続端側に前記第１のラダー抵抗と直列に接続された第１の可変抵抗と、前記第１のラダー抵抗の中間部分に前記第１のラダー抵抗と直列に接続された第２の可変抵抗と、前記第１のラダー抵抗からの出力を選択するためのセレクタと、前記セレクタの出力側に接続されたアンプと、前記アンプからの複数の出力間に接続された第２のラダー抵抗とを備え、
前記第１の可変抵抗の抵抗値は、前記第１のレジスタ内の前記第１の値に基づいて変化可能で、
前記第２の可変抵抗の抵抗値は、前記第２のレジスタ内の前記第２の値に基づいて変化可能で、
前記セレクタは、前記第３のレジスタ内の前記第３の値に基づいて前記第１のラダー抵抗からの出力を選択可能であることを特徴とする表示駆動装置。